(57)【特許請求の範囲】
【請求項１】
頭部装着型表示装置により表示されるコンピュータ生成情報内容の装着者による視覚化の仮想距離の値（Ｄ ｖ）を判断する方法であって、前記方法は、
（ｉ）  前記装着者の快適調節幅（Ａｃｃ ｃ）の値を判断する工程であって、
−  着用者の最近接可視点を定義する近点における最大調節幅を最初に判断することによって、着用者の年齢に応じた快適調節幅（Ａｃｃ  ｃ）の値を計算する工程、または
−  着用者の最近接可視点を定義する近点における最大調節幅を測定距離として最初に提供することによって、快適調節幅（Ａｃｃ  ｃ）の値の１つ又は複数の測定を実行する工程、
を備える、前記装着者の快適調節幅（Ａｃｃ  ｃ）の値を判断する工程と、
（ｉｉ）  一方の着用者の眼による第１の表示の視覚化と、同じ着用者の目による第２の表示の視覚化とを切り替えることにより動的試験条件下で着用者の調節効率を評価する工程であって、第２の表示は、着用者の快適調節幅（Ａｃｃ  ｃ）内にあり、工程（ｉｉ）は、
（ｉｉ−ａ）  第１の表示の視覚化距離の第１の値を設定する工程と、
（ｉｉ−ｂ）  着用者の快適調節幅内にある第２の表示の視覚化距離の第２の値を設定する工程と、
（ｉｉ−ｃ）  第１の値を有する距離に位置する第１の表示の視覚化と第２の値を有する距離に位置する第２の表示の視覚化との間で同じ着用者の眼を切り替え中に着用者の調節能力を評価する工程と、
を含む、動的試験条件下で着用者の調節効率を評価する工程と、
（ｉｉｉ）  （ｉ）及び（ｉｉ）の結果に基づき同じ着用者の眼に対する視覚化の仮想距離の値（Ｄ ｖ）を判断する工程と、
を含む、方法。
【請求項２】
工程（ｉｉ）は、着用者の状況を模擬し、前記頭部装着型表示装置により表示される情報内容の仮想表示の視覚化と着用者環境からの現実物体の視覚化との間で同じ着用者の眼を切り替える請求項１に記載の方法。
【請求項３】
工程（ｉｉ）における着用者の切り替え能力に応じて、仮想距離は、検証されるか、または前記第１の値と前記第２の値との間のギャップを低減するように工程（ｉｉ−ａ）〜（ｉｉ−ｃ）を繰り返すことにより変更される、請求項１または２に記載の方法。
【請求項４】
工程（ｉｉ−ｃ）は、着用者からの定性的評価および１つまたは複数の測定値を含む定量的評価のうちの１つをさらに含む、請求項１〜３のいずれか一項に記載の方法。
【請求項５】
工程（ｉｉ−ｃ）は、１つ又は複数の周期的測定結果を含む定量的評価を含む、請求項４に記載の方法。
【請求項６】
工程（ｉｉ−ｃ）は、レンズフリッパによる調節安定性試験をさらに含む、請求項１〜３のいずれか一項に記載の方法。
【請求項７】
工程（ｉ）において、快適調節幅の値（Ａｃｃ  ｃ）の１つ又は複数の測定を行うことは、プッシュアップ方法に従って実行される請求項１〜６のいずれか一項に記載の方法。
【請求項８】
装着者により装着される頭部装着型表示装置であってコンピュータ生成情報内容を表示することができる頭部装着型表示装置を設計する方法であって、
前記頭部装着型表示装置は２つの眼用レンズを含む一対の眼鏡であり、
前記眼用レンズは導光光学素子を含み、
前記設計する方法は視覚化の仮想距離の値（Ｄ＿ｖ）の判断に基づくものであり、前記設計する方法は、
（ｉ）  前記装着者の快適調節幅（Ａｃｃ  ｃ）の値を判断する工程であって、
−  着用者の最近接可視点を定義する近点における最大調節幅を最初に判断することによって、着用者の年齢に応じた快適調節幅（Ａｃｃ  ｃ）の値を計算する工程、または
−  着用者の最近接可視点を定義する近点における最大調節幅を測定距離として最初に提供することによって、快適調節幅（Ａｃｃ  ｃ）の値の１つ又は複数の測定を実行する工程、
を備える、前記装着者の快適調節幅（Ａｃｃ  ｃ）の値を判断する工程と、
（ｉｉ）  一方の着用者の眼による第１の表示の視覚化と、同じ着用者の目による第２の表示の視覚化とを切り替えることにより動的試験条件下で着用者の調節効率を評価する工程であって、第２の表示は、着用者の快適調節幅（Ａｃｃ  ｃ）内にあり、工程（ｉｉ）は、
（ｉｉ−ａ）  第１の表示の視覚化距離の第１の値を設定する工程と、
（ｉｉ−ｂ）  着用者の快適調節幅内にある第２の表示の視覚化距離の第２の値を設定する工程と、
（ｉｉ−ｃ）  第１の値を有する距離に位置する第１の表示の視覚化と第２の値を有する距離に位置する第２の表示の視覚化との間で同じ着用者の眼を切り替え中に着用者の調節能力を評価する工程と、
を含む、動的試験条件下で着用者の調節効率を評価する工程と、
（ｉｉｉ）  （ｉ）及び（ｉｉ）の結果に基づき同じ着用者の眼に対する視覚化の仮想距離の値（Ｄ  ｖ）を判断する工程と、
を含む方法。
【請求項９】
視覚化の仮想距離の値（Ｄ ｖ）の判断は、前記第１の表示の視覚化のための異なる凝視方向で及び／又は前記第２の表示の視覚化のための異なる凝視方向で、少なくとも２回行われる、請求項８に記載の方法。
【請求項１０】
レンズは、単視レンズ、多焦点レンズおよび累進レンズを含む処方箋レンズから選択され、前記視覚化の仮想距離の値（Ｄ ｖ）は、前記眼用レンズの１つ又は複数の光学パラメータを決定する、請求項９に記載の方法。
【請求項１１】
前記眼用レンズの光学パラメータは、前記眼用レンズの後面の屈折力の値である、請求項１０に記載の方法。
【請求項１２】
装着者により装着されることを目的とする頭部装着型表示装置であってコンピュータ生成情報内容を表示することができる頭部装着型表示装置を製造する方法であって、
−請求項１〜７のいずれか一項に記載の視覚化の仮想距離の値（Ｄ ｖ）を判断する方法、又は
−請求項８〜１１のいずれか一項に記載の頭部装着型表示装置を設計する方法
を含む、方法。
【請求項１３】
コンピュータ実施型である請求項１〜１２のいずれか一項に記載の方法。
【請求項１４】
プロセッサにアクセス可能であって前記プロセッサにより実行されると前記プロセッサに請求項１〜１２のいずれか一項に記載の方法の工程を実行させる１つ又は複数の格納された一連の命令を含むコンピュータプログラム製品。
【請求項１５】
請求項１４に記載のコンピュータプログラム製品を格納するコンピュータ可読媒体。
【発明の詳細な説明】
【技術分野】
【０００１】
本発明は、拡張現実感のための方法とシステムに関する。
【０００２】
本発明はより具体的には、特に装着者が装着者環境からの「現実」表示とディスプレイ頭部装着型装置（ｄｉｓｐｌａｙ  ｈｅａｄ−ｍｏｕｎｔｅｄ  ｄｅｖｉｃｅ）により表示されるコンピュータ生成内容の「仮想」表示との両方を視覚化する状況のためのディスプレイ頭部装着装置を備えた装着者の視覚的快適性を改善する方法に関する。
【背景技術】
【０００３】
頭部装着型表示装置（ＨＭＤ：ｈｅａｄ−ｍｏｕｎｔｅｄ  ｄｉｓｐｌａｙ  ｄｅｖｉｃｅ）は当該技術分野で知られている。このような装置としては、拡張現実感のための画像又はテキストなどの情報内容をその装着者が視覚化できるようにする所謂「スマート眼鏡」が挙げられる。
【０００４】
このような頭部装着型装置を装着する際、装着者は自身が「二重」視覚化の状況にいると気付き得る。すなわち、装着者は、環境からの「現実」物体（例えばモニュメント又は交通標識）とＨＭＤにより提供／生成される仮想表示（例えばモニュメント又は運転方向に関する情報）とを見たいかもしれない。したがって、装着者は「現実」世界（装着者の環境）の視覚化とＨＭＤにより提供される「仮想」表示の視覚化とを急速かつ快適に切り替えることができるべきである。したがって、ＨＭＤは、最小の調節努力がこのような状況における装着者に必要とされるように設計されるべきである。
【０００５】
欧州特許出願公開第０７１６３２９Ａ１号明細書は仮想像の視覚化距離を設定するように表示システムが調節され得るＨＭＤを開示する。仮想表示の近接性と「現実」表示の近接性とは常時同じである。このシステムは絶え間ない調節を必要とするので装着者に不都合である。さらに、このシステムは、仮想表示までの「距離」が装着者により視覚化される「現実」物体までの「距離」と異なる状況を考慮しないという点で柔軟性を欠く。
【０００６】
本発明によると、ＨＭＤは、装着者が「現実」視覚化（視野（遠方視野、近方視野、中間視野）のうちの１つ又は複数の視野内の１つ又は複数の物体であり得る）から「仮想」視覚化（例えばＨＭＤがＬＯＥを含む場合に発生する視覚化の設定／固定された又は調節可能／設定可能システムの場合がそうであるように設定／固定されない仮想距離に存在し得る）へ快適に切り替え得るように最適化することができ、その逆もまた同様である。さらに、本発明によると、ディスプレイＨＭＤは装着者に対してカスタム化され得る。
【発明の概要】
【課題を解決するための手段】
【０００７】
大きく見ると、本発明は装着者の動的調節効率（ｄｙｎａｍｉｃ  ａｃｃｏｍｍｏｄａｔｉｖｅ  ｆａｃｉｌｉｔｙ）を評価する工程に依存する。
【０００８】
本発明は概して、
−ＨＭＤにより表示される情報内容の視覚化の仮想距離を判断する方法と、
−ＨＭＤにより表示される情報内容の視覚化のための仮想調節力を判断する方法と、
−ＨＭＤを設計及び／又は製造する方法と、
−関連コンピュータプログラム製品及び可読媒体と、
−ＨＭＤを設計、製造及び／又は設定する方法における装着者の動的調節効率を評価する工程の使用と、を提供する。
【０００９】
仮想視覚化距離を判断する方法
一態様によると、本発明は、ＨＭＤにより表示される情報内容の視覚化の仮想距離を判断する方法を提供する。
【００１０】
本発明は、頭部装着型表示装置により表示されるコンピュータ生成情報内容の装着者による視覚化の仮想距離の値（Ｄ＿ｖ）を判断する方法を提供する。前記方法は、装着者の動的調節効率を評価する工程を含む。
【００１１】
いくつかの実施形態では、前記方法は、次の工程を含む：
（ｉ）装着者の快適調節幅（ａｍｐｌｉｔｕｄｅ  ｏｆ  ａｃｃｏｍｍｏｄａｔｉｏｎ）（Ａｃｃ＿ｃ）の値を判断する工程、
（ｉｉ）第１の表示の視覚化と第２の表示の視覚化とを切り替えることにより動的試験条件下で装着者の調節効率を評価する工程であって、第２の表示は装着者の快適調節幅（Ａｃｃ＿ｃ）内である工程、及び
（ｉｉｉ）（ｉ）及び（ｉｉ）の結果に基づき仮想距離の好適値（Ｄ＿ｖ）を判断する工程。
【００１２】
いくつかの実施形態では、工程（ｉｉ）は、次の工程を含む：
（ｉｉ−ａ）第１の表示の視覚化距離の第１の値（ｄ＿１）を設定する工程、
（ｉｉ−ｂ）装着者の快適調節幅（Ａｃｃ＿ｃ）内にある第２の表示の視覚化距離の第２の値（ｄ＿２）を設定する工程、及び
（ｉｉ−ｃ）距離（ｄ＿１）にある第１の表示の視覚化と距離（ｄ＿２）にある第２の表示の視覚化との切り替え時に装着者の調節効率を評価する工程。
【００１３】
いくつかの実施形態では、工程（ｉｉ）は、前記頭部装着型表示装置により表示される情報内容の仮想表示の視覚化と装着者環境からの現実物体の視覚化とを切り替えることにより装着者の状況を模擬するように設計される。例えば、値（ｄ＿１）、（ｄ＿２）は前記状況を模擬するように選択され得る。
【００１４】
いくつかの実施形態では、本方法は以下の工程を含む：
−工程（ｉ）及び工程（ｉｉ）を繰り返す工程、又は
−工程（ｉｉ）を繰り返す工程、又は
−工程（ｉ）及び工程（ｉｉ−ａ）〜（ｉｉ−ｃ）を繰り返す工程、又は
−工程（ｉｉ−ａ）〜（ｉｉ−ｃ）を繰り返す工程。
【００１５】
いくつかの実施形態では、工程（ｉｉ−ａ）〜（ｉｉ−ｃ）は、例えば（ｄ＿１）と（ｄ＿２）との間の低減されたギャップ値で繰り返され得る。
【００１６】
いくつかの実施形態では、工程（ｉｉ）及び工程（ｉｉ−ｃ）はそれぞれ次のものを含む：
−装着者からの定性的評価、又は
−１つ又は複数の測定結果（例えば周期的測定結果）を含む定量的評価。
【００１７】
いくつかの実施形態では、工程（ｉｉ）及び工程（ｉｉ−ｃ）はそれぞれ、レンズフリッパ（ｌｅｎｓ  ｆｌｉｐｐｅｒ）による調節安定性試験（ａｃｃｏｍｍｏｄａｔｉｖｅ  ｒｏｃｋ  ｔｅｓｔ）を含む。
【００１８】
いくつかの実施形態では、工程（ｉ）は次のものを含む：
−装着者の年令に基づき快適調節幅（Ａｃｃ＿ｃ）の値を計算する工程、又は
−例えばプッシュ−アップ（Ｐｕｓｈ−Ｕｐ）方法に従って又は能動レンズ又は客観的測定による試験に従って１つ又は複数の測定を行う工程。
【００１９】
「仮想」調節を判断する方法：仮想標的の視覚化のための調節
別の態様によると、本発明は、ＨＭＤにより表示される情報内容の視覚化のための仮想調節を判断する方法を提供する。
【００２０】
本発明は、頭部装着型表示装置により表示されるコンピュータ生成情報内容の装着者による視覚化のための仮想調節幅（Ａｃｃ＿ｖ）を判断する方法であって本明細書で説明する視覚化の仮想距離の値（Ｄ＿ｖ）を判断する方法を含む方法を提供する。
【００２１】
ＨＭＤ設計方法
別の態様によると、本発明は、表示特徴によりＨＭＤを設計する方法を提供する。
【００２２】
本発明は、装着者により装着される頭部装着型表示装置であってコンピュータ生成情報内容を表示することができる頭部装着型表示装置を設計する方法を提供する。本方法は、
−本明細書で説明する仮想距離の値（Ｄ＿ｖ）を判断する方法、又は
−本明細書で説明する仮想調節幅（Ａｃｃ＿ｖ）を判断する方法を含む。
【００２３】
ある実施形態では、本装置は２つの眼用レンズを含む一対の眼鏡であり、前記眼用レンズの１つは導光光学素子を含む。
【００２４】
いくつかの実施形態では、仮想距離の値（Ｄ＿ｖ）を判断する方法（仮想調節幅（Ａｃｃ＿ｖ）を判断する方法それぞれ）は、第１の表示の視覚化のための様々な凝視方向で及び／又は第２の表示の視覚化のための様々な凝視方向で、少なくとも２回行われる。
【００２５】
いくつかの実施形態では、レンズは、単視レンズ、多焦点レンズ及び累進レンズなどの処方箋レンズから選択され、値Ｄ＿ｖ又はＡｃｃ＿ｖは、ベースの値、レンズの表側の設計又は裏側の設計など眼用レンズの１つ又は複数の光学パラメータを判断するために使用される。
【００２６】
ＨＭＤ製造方法
別の態様によると、本発明は、装着者により装着される頭部装着型表示装置であってコンピュータ生成情報内容を表示することができる頭部装着型表示装置を製造する方法を提供する。本方法は、
−本明細書で説明する仮想距離の値（Ｄ＿ｖ）を判断する方法、又は
−本明細書で説明する仮想調節幅（Ａｃｃ＿ｖ）を判断する方法、又は
−本明細書で説明する頭部装着型表示装置を設計する方法を含む。
【００２７】
関連コンピュータプログラム製品
別の態様によると、本発明は、本明細書で説明する方法のうちの任意の１つを行わせるコンピュータプログラム製品及びコンピュータ可読媒体を提供する。
【００２８】
いくつかの実施形態では、本発明は本明細書で説明する方法であってコンピュータにより実施される方法を提供する。
【００２９】
いくつかの実施形態では、本発明は、プロセッサにアクセス可能であってプロセッサにより実行されるとプロセッサに本明細書で説明される方法のいずれか１つの方法を実行させる１つ又は複数の格納された一連の命令を含む（非一時的）コンピュータプログラム製品を提供する。
【００３０】
いくつかの実施形態では、本発明は、前記コンピュータプログラム製品の１つ又は複数の一連の命令を実行する（非一時的）コンピュータ可読媒体を提供する。
【００３１】
使用
別の態様によると、本発明は、頭部装着型表示装置を設計、製造又は設定する方法における装着者の動的調節効率を評価する工程の使用を提供する。
【図面の簡単な説明】
【００３２】
【図１】本発明の方法の例示的フローチャートを示す。
【図２】例示的ＨＭＤの一部の概略図を示す。
【図３】ＨＭＤを備えた装着者の視覚化状況の概略図を示す。
【図４】被験者の残留調節力（ｒｅｓｉｄｕａｌ  ａｃｃｏｍｍｏｄａｔｉｏｎ）を判断するためのモデルのグラフ表現を示す。
【図５】本発明による、有用であり得るレンズフリッパの例を示す。
【図６−１０】処方箋レンズを含むＨＭＤを備えた装着者の様々な視覚化状況のグラフ表現を示す。
【発明を実施するための形態】
【００３３】
調節
調節の現象は当該技術分野で知られている。装着者の年令又はあり得る不正視に関係なく、本発明は現実視野ゾーン内の空間の判断（定義）を可能にする。ここでは、現実物体及び／又は仮想物体／表示の装着者による視覚化は快適に（すなわち十分なかつ非一時的な限定調節により）行われ得る。当業者は、調節、調節幅の定義に関する常識及びどのようにして視覚化距離がこの文脈で解析されるかに関する常識を有する。
【００３４】
頭部装着型表示装置
頭部装着型表示装置（ＨＭＤ）は当該技術分野で知られている。ヘルメット装着型ディスプレイ、光学的頭部装着型ディスプレイ、頭部装着型ディスプレイなどを含むこのような装置は装着者の頭上に又はその周囲に装着される。これらは装着者による視覚化のための（コンピュータ生成）情報内容を表示する光学的手段を含む。ＨＭＤはコンピュータ生成情報内容を表示し得、有利にはコンピュータ生成情報内容と「現実」視野との重畳視覚化を伴う。ＨＭＤは単眼（片眼）又は双眼（両眼）であり得る。本発明のＨＭＤは、眼鏡、スキー又は潜水マスクなどのマスク、及びゴーグルなどを含む様々な形式を採り得る。ＨＭＤは１つ又は複数のレンズを含み得る。前記レンズは処方箋レンズから選択され得る。
【００３５】
好適な実施形態では、ＨＭＤはレンズを備える一対の眼鏡であり、レンズの一方又は両方は導光光学素子（ＬＯＥ：Ｌｉｇｈｔ−ｇｕｉｄｅ  Ｏｐｔｉｃａｌ  Ｅｌｅｍｅｎｔ）を含む。ＨＭＤは通常、ポッドを含む。前記ポッドは、ＬＯＥと併せて仮想表示を生成（提供）することができる光学及び電子部品を含む筐体であり得る。ＬＯＥを含むレンズＬの例が図２に示される。レンズＬは「現実世界」（装着者の環境）に面する前面Ｆと装着者に面する後面Ｒとを有する。ＬＯＥはレンズＬ内に埋め込まれる。ポッドＰＯＤはＬＯＥへ接続される。
【００３６】
ＨＭＤを備えた装着者の視野が図３に描写される。図３は、装着者がＨＭＤにより提供される仮想表示Ｖと環境Ｒ１、Ｒ２、Ｒ３からの「現実」物体とを視覚化する状況にあり得るということを示す。仮想表示は視覚化距離Ｄ＿ｖに「位置する」。
【００３７】
一般論として、仮想表示について、視覚化の光路はＰＯＤ→ＬＯＥ→レンズの裏面→装着者の眼である、一方、「現実」表示（現実物体）について、経路は物体→レンズの前面→レンズの裏面→装着者の眼である。
【００３８】
ＨＭＤにより視覚化の仮想距離の好適値を判断すること
本発明は、装着者の動的調節効率を考慮することによりＤ＿ｖの好適値を判断する方法を提供する。したがって、本発明は、ＨＭＤによるコンピュータ生成情報内容の表示のための距離の範囲を判断する方法を提供する。本方法では、装着者は、ＨＭＤにより提供される表示を快適に視覚化し、遠方視野、中間視野及び近方視野に位置する物体を含む「現実世界」を視覚化し続け得るだけでなく、過度の眼疲労を引き起こすこと無く、仮想表示と「現実世界」の視覚化とを快適に切り替え得、したがって高レベルの視覚的快適性を経験する。
【００３９】
本発明は、
−装着者の快適調節幅（Ａｃｃ＿ｃ）の値を判断する工程と、
−例えば仮想表示と現実表示との間の動的条件下で装着者の調節効率を評価する工程と、
−上記に基づき仮想表示の距離の好適範囲を判断する工程とに依存する。
【００４０】
言い換えれば、本発明は以下の工程に依存する：
−仮想表示（Ａｃｃ＿ｖ）へリンクされた調節値を導出するように装着者（Ａｃｃ＿ｃ）の快適調節力の値を判断する工程と、
−ＨＭＤを介しこの仮想調節力（仮想視覚化距離に対応するＡｃｃ＿ｖ）から現実表示へリンクされた第２の調節力値（現実視覚化距離に対応するＡｃｃ＿ｒ）へ切り替える装着者の能力を評価する工程と、
−装着者の切り替え能力に応じて、Ａｃｃ＿ｖ＿ｂｉｓとＡｃｃ＿ｒ間のギャップを低減するように、値Ａｃｃ＿ｖ（仮想距離に対応する）を検証する又はそうでなければＡｃｃ＿ｖ＿ｂｉｓの値（仮想距離の別の値に対応する）を変更する工程。
【００４１】
装着者の快適調節幅を判断すること
当該技術領域で知られるような快適調節幅を判断する任意の方法が本発明の目的に使用され得る。これは計算（推定）又は実測（例えばプッシュ−アップ方法）に由来し得る。工程（ｉ）に好適な方法は装着者の年令、検眼試験による測定及び／又は装置による測定に応じてモデル化する工程を含む。いくつかの例を以下に示す。
【００４２】
装着者の動的調節効率を評価すること
一般論として、いくつかの実施形態では、本発明は、少なくとも２つの視対象（ｖｉｓｕａｌ  ｔａｒｇｅｔ）間で視覚化を切り替える装着者の能力を評価する工程を含む。これは上記工程（ｉｉ）に対応する。前記視対象（例えば表示）はそれぞれ、上記それぞれの距離ｄ＿１とｄ＿２において視覚化され得る。ｄ＿１とｄ＿２の値は、仮想表示（例えばｄ＿１）の視覚化と現実物体（例えばｄ＿２）の視覚化とを切換える装着者の状況を模擬（模倣）するように選択され得る。本発明によると、第１の表示と第２の表示は同じ凝視方向であってもよいしそうでなくてもよい。凝視方向は当該技術分野で知られるように定義され得る。さらに、本発明によると、装着者の動的調節効率は、３以上の表示（表示１、２、３．．．）の視覚化を切り替えることにより評価され得る。このような場合、距離ｄ＿１、ｄ＿２、ｄ＿３は同じ又は異なる値に及び／又は同じ又は異なる凝視方向に設定され得る。視覚化切り替えは例えば１、２、３、２、１．．．のように行われ得る。
【００４３】
動的試験条件下における装着者の調節効率の評価は、定性的及び／又は定量的ベース（すなわち例えばプロキシメータ（ｐｒｏｘｙｍｅｔｅｒ）を使用することによる客観的及び／又は主観的ベース）で行われ得る。プロキシメータの例はｈｔｔｐ：／／ｗｗｗ．ｖａｒｉｌｕｘ−ｕｎｉｖｅｒｓｉｔｙ．ｏｒｇ／ＦＲ／Ｐａｇｅｓ／Ｐｒｏｘｉｍ％Ｃ３％Ａ８ｔｒｅ．ａｓｐｘに記載されている。工程（ｉｉ）は、１つ又は複数の装置により又は検眼測定を通して行われ得る。さらに、工程（ｉｉ）は１つ又は複数の眼鏡（１つ又は複数のスマートグラス及び／又は１つ又は複数のレンズフリッパを含む）により行われ得る。レンズフリッパの例を図５に示す。
【００４４】
本発明は以下の非限定的な実施例により示される。
【実施例】
【００４５】
実施例１：装着者の快適調節幅を判断する：工程（ｉ）のとおりにＡｃｃ＿ｃを判断する
快適調節力に関する測定は被写界深度を考慮する。
測定は以下の量へのアクセスを可能にし得る：
−零の調節力に対応する遠点（ＰＲ：ｐｕｎｃｔｕｍ  ｒｅｍｏｔｕｍ、ジオプタＤに変換される最遠可視点）；
−最大調節力Ａｃｃ＿ｍａｘに対応する近点（ＰＰ：ｐｕｎｃｔｕｍ  ｐｒｏｘｉｍｕｍ、Ｄに変換される最近接可視点）；
−快適調節力はＡｃｃ＿ｃ＝（２／３）×Ａｃｃ＿ｍａｘとして定義され得る；
−＜＜調節緊張（ｔｏｎｉｃ  ａｃｃｏｍｍｏｄａｔｉｏｎ）＞＞（ＰＲとＰＰとの間に位置するＤの値であって、静止調節力（ｒｅｓｔｉｎｇ  ａｃｃｏｍｍｏｄａｔｉｏｎ）とも呼ばれる）。
【００４６】
これらの量は装着者毎に変化するが、また年齢の関数である。年齢は工程（ｉ）の判断のための関連係数と見なされ得る。以下の実施例は、Ａｃｃ＿ｃを判断するための様々な方法を示す。
【００４７】
Ａｃｃ＿ｃを判断するのに使用される方法に関係なくＡｃｃ＿ｖ≦Ａｃｃ＿ｃであることが好ましい。
【００４８】
実施例１．１：年齢に応じたＡｃｃ＿ｃの計算のモデル
仏国特許出願公開第２９０３５０３Ａ１号明細書と米国特許第７８５７４４４Ｂ２号明細書が参照され、参照としてその内容を本明細書に援用する。
【００４９】
正視者の眼にとって、努力を必要としない視覚化距離は１ｍである。最大調節幅は被験者の年齢と共に低下する。調節力の快適量（被験者の過度の緊張無しに「実施」され得る）は最大振幅の約２／３である。したがって、被験者により使用され得る調節力の「努力を要しない」（無疲労）値は年齢と共に低下する。
【００５０】
【表１】
0006554479.tif 000002
【００５１】
実施例１．２：調節緊張を考慮した年令に応じたＡｃｃ＿ｃの計算のモデル
このモデルは年齢に応じた緊張進展（ｔｏｎｉｃ  ｅｖｏｌｕｔｉｏｎ）を組み込む。これはより正確な推定値を提供するので有利である。
【００５２】
【表２】
0006554479.tif 000003
【００５３】
これらの値は図４に示される。垂直軸は調節力（Ｄ）を表し、水平軸は年齢（歳）を示す。図４は、年齢に応じた残留調節力のモデルを示す。
【００５４】
非正視の装着者については、同じ値が使用され得、使用される値を得るためには同じ値を使用し次に処方値を差し引くことで十分である。
【００５５】
以下の実施例１．３及び実施例１．４は、判断された最大調節幅Ａｃｃ＿ｍａｘを最初に使用することにより快適調節幅Ａｃｃ＿ｃを判断することについて示す。このような場合、Ａｃｃ＿ｃはＡｃｃ＿ｍａｘの３分の２と判断され得る。
Ａｃｃ＿ｃ＝（２／３）×Ａｃｃ＿ｍａｘ
【００５６】
実施例１．３：最大調節幅を計算することによるＡｃｃ＿ｃの判断
この判断は、被験者の年齢に応じた調節力の最大振幅の計算のモデルに依存する。Ａｃｃ＿ｍａｘは以下のモデルの１つを使用することにより判断され得る（調節力値（ジオプタ）、年齢（歳））。
−モデルｎ°１（高い値）Ａｃｃ＿ｍａｘ＝２５−０．４０  年齢
−モデルｎ°２（平均値）Ａｃｃ＿ｍａｘ＝１８．５−０．３０  年齢
−モデルｎ°３（低い値）Ａｃｃ＿ｍａｘ＝１５−０．２５  年齢
【００５７】
実施例：５０歳である被験者については、モデルｎ°３を使用することにより：
Ａｃｃ＿ｍａｘ＝２．５
Ａｃｃ＿ｃ＝（２／３）×Ａｃｃ＿ｍａｘ＝１．６７
Ｐ＿ｃ＝１／Ａｃｃ＿ｃ＝６０ｃｍ：装着者から６０ｃｍ以上に位置する表示は常に快適に視覚化されることになる。
【００５８】
実施例１．４：プッシュ−アップ方法（ＰＰＡ方法）を使用することによるＡｃｃ＿ｃの判断
プッシュ−アップ方法は、簡単であり、速く、個人専用であり、かつ必要とする機器が少ない点で有利である。
−０．８０ＢＣＶＡ（８０％最良矯正視力、すなわち最良矯正により得られる最良明瞭度の８０％）：試験では、視対象は最良明瞭度の８０％へ至るように選択される、
−屈折の最適補償、
−屈折力等価物が年齢に応じた近接性と最小振幅に対してマーキングされ得る定量（例えばミリメートル）ルーラ。
【００５９】
自然条件：
−検眼用縁の使用、
−この試験は有利には被験者の被写界深度を考慮する、
−この測定は単眼または双眼ベースで行われ得る。
【００６０】
方法論：
−被験者の注意は視対象（例えば印刷テキスト）へ引き付けられ、被験者は可能な限り長くかつ正確に合焦を維持するように要求される。
−左眼は覆われ、測定は右眼に対し開始され得る。
−視対象は、調節応答の規則的変化を生成するために緩やかにかつ漸進的に（例えば１秒当たり約０．２５〜０．５０δで）近づけられる。視対象は、ジオプタで表される一定の累進性を維持するように、近ければ近いほどより緩やかに近づけられるべきである。
−被験者が第１の一定ぼやけを感知すると直ちに停止し、その距離を記す、
−この処理は、平均値を得るとともに調節力の質を観測するために３回繰り返される。
−左眼と両方の眼に対して繰り返す。
【００６１】
代替的に、試験は最初に双眼視力に対し、次に被験者の片目又は両眼の単眼視力に対し行われ得る。
【００６２】
実施例：試験は測定された距離⇒Ａｃｃ＿ｍａｘを提供する。
Ａｃｃ＿ｃ＝２／３  Ａｃｃ＿ｍａｘ；Ｐ＿ｃ＝１／Ａｃｃ＿ｃ
【００６３】
これは、装着者の快適近接性（レンズのベースカーブにより（すなわち後面の屈折力により）定義された）が仮想表示の表示距離以下であるということを照査できるようにする。
【００６４】
実施例２：調節安定性試験を使用することにより、工程（ｉｉ）のように動的試験条件下で装着者の調節効率を評価する
この実施例は、仮想表示（仮想調節幅Ａｃｃ＿ｖ内）の視覚化と現実視対象の快適視野内に位置する別の（現実）表示の視覚化とを切り替える装着者の能力を評価する方法を示す。
【００６５】
この試験は調節安定性試験である。この試験は、その実施例が図５に表されるレンズフリッパを利用する。その側は＋又は−２．００Ｄであり得る。レンズは、一対のレンズから他方の対のレンズへ切り替えるために周期的ベースでフリップ（回転）される。
【００６６】
試験のパラメータは以下の通りであり得る：
−ＲＤ：読書距離、
−０．８０のＢＣＶＡ（８０％最良矯正視力、すなわち最良矯正により得られる最良明瞭度の８０％）、
−単位時間（分）当たりに行われる（到達される）最小回転数（周期）、
−単位時間（平均）当たり行われる平均回転数（周期）、
−試験は単眼又は双眼ベースで行われ得る。
【００６７】
試験は通常、水晶体の毛様体筋の速度及び疲労に対する抵抗、及び／又は調節過程に関与する遠心性ニューロンの適切機能を評価できるようにする。
【００６８】
試験は、装着者が直面する様々な距離（調節状況）を模擬するように様々な球値で行われ得る。試験は、一対のスマート眼鏡で又は一組のいくつかのスマート眼鏡ですら行われ得る。
【００６９】
単位時間（分、平均）当たりの回転数の値は使用される装置の性質に応じて当業者により判断され得る。
【００７０】
単眼（弱視）又は双眼ベースの調節安定性試験の例示的な実施例：
−０，８×ＢＣＶＡ、
−最小：１２ｃｐｍ（ｃｐｍ：周期／分）
−平均：１７ｃｐｍ。
【００７１】
より一般的には、可能な定量的判断の他に、アイケア専門家は、動的調節に対する被験者の視覚的行動の定性的評価を行い得る。
【００７２】
実施例３：様々なタイプの処方箋レンズについて、工程（ｉｉ）のように動的試験条件下で装着者の調節効率を評価する
この実施例では、装着者の非正視は矯正されるということを仮定する。レンズは、例えば図２のようにＬＯＥを埋め込んだ処方箋レンズである。
【００７３】
図６〜図９は、様々な眼用レンズを有する視覚化状況を示す。
【００７４】
添付図面の凡例は以下の通りである：
−ＳＶ：単一視レンズ、ＰＡＬ：累進加入度レンズ、
−ＮＶ：近方視野、ＦＶ：遠方視野、
−Ｌ：レンズ、Ｅ：眼、
−Ｂ：レンズベースカーブ、Ｐ：屈折力、
−ＬＯＥ：導光光学素子、
−ＲＤ：読書距離、
−Ａｃｃ＿ｃ：快適調節力、
−Ａｃｃ＿ｒ：現実調節力（現実表示の視覚化）、
−Ａｃｃ＿ｖ：仮想調節力（仮想（ＨＭＤ生成）表示の視覚化）、
−破線で区切られ斜め線で埋められたボックス：レンズの後面と結合した後のＬＯＥを介したＨＭＤ  ＰＯＤによる投影に対応する仮想物体、ＨＭＤ生成情報内容表示
【数１】
0006554479.tif 000004
−ＤＶＯ：眼とレンズとの距離（後角膜頂点間距離（ｂａｃｋ  ｖｅｒｔｅｘ  ｄｉｓｔａｎｃｅ））、
−Ｄ＿ｖ：仮想距離、仮想情報内容の表示の距離。
【００７５】
同図において、快適調節力Ａｃｃ＿ｃの値は非公式のやり方で見つけられる。快適調節力Ａｃｃ＿ｃの値は読書距離において関与する調節力に等しくなるように設定及び配置される可能性がある。現実調節力Ａｃｃ＿ｒの値は、平均で４０ｃｍの読書距離ＲＤに依存する。
【００７６】
非老眼・不正視の装着者については、装着者が調節力Ａｃｃ＿ｖの仮想値（レンズ基部により定義される）から、
−読書距離において明瞭かつ快適な視野に必要な追加の調節力を行使することと、
−明瞭かつ快適な視野（例えば遠方視野における）のために仮想調節力Ａｃｃ＿ｖを緩和することとができることを照査すべきである。
【００７７】
老眼の装着者については、装着者が調節力Ａｃｃ＿ｖの仮想値から、読書距離における及び遠方視野内の明瞭かつ快適な視野のためにこの残留調節又は被写界深度を緩和することができるかを照査すべきである。
【００７８】
工程（ｉｉ）を行う際、屈折変調周期（ｄｉｏｐｔｒｉｃ  ｍｏｄｕｌａｔｉｏｎ  ｃｙｃｌｅ）は、仮想表示（例えば距離Ｄ＿ｖ又はｄ＿１における）を視覚化することから現実表示（例えばＡｃｃ＿ｒ（例えばＮＶ又はＦＶゾーン内のＡｃｃ＿ｃ内の）に対応する距離ｄ＿２における）へ切り替える被験者の能力（両眼転導（ｖｅｒｇｅｎｃｅｓ）を含む）を評価できるようにする。
【００７９】
仮想表示は、レンズ内のＬＯＥの位置に応じて視野の様々な位置（凝視方向）に投影され得る。したがって、装着者は、以下の状況の１つにあり得る：
−仮想表示はレンズの上部（遠方視野）に配置される、
−仮想表示はレンズの下部（近方視野）に配置される、
−仮想表示は装着者によりあまり使用されないレンズの一部に配置される。
【００８０】
場合によっては、装着者は仮想表示を介し現実シーン（現実物体）を視覚化し得る。当該状況において、又は仮想表示がレンズの別の部分に配置されれば、状況が切り替わる際に実施される調節力値同士は非常に近い。このとき、同じ試験原理が利用され得る。
【００８１】
距離Ｄ＿ｖは、図１０に示すように、様々な凝視方向を考慮することにより判断され得る。凡例は前と同様であり、ＣＲＯ＝眼の回転中心である。
【００８２】
実施例４：Ｄ＿ｖ範囲値の検証及び判断方法
−調節安定性試験（又は工程（ｉｉ）の他の評価）が成功すれば（例えば１分間当たり十分な周期数であれば）、及び／又は装着者が疲労又は不快感又は引っ張られる感覚について不平を言わなければ、装置（ＬＯＥ＋ＰＯＤ）は、装着者にとって快適かつ好適であるべき距離に仮想表示を表示（投影）するように設計され得る。ＨＭＤを設計及び製造するための値Ａｃｃ＿ｖ（又は値Ｄ＿ｖ）が設定される。
−調節安定性試験（又は工程（ｉｉ）の他の評価）が成功しなければ、値Ａｃｃ＿ｖ（又はＤ＿ｖ又はｄ＿１の値）は、ｄ＿１とｄ＿２（Ａｃｃ＿ｖとＡｃｃ＿ｒ）間のギャップを低減するように変更され得る。このとき、ＬＯＥを含むレンズのベースカーブを修正することが可能である。このとき、仮想表示はより遠い距離に表示される（後面と結合後）ことになり、明瞭かつ快適な視野に必要な調節力は低減されることになる。
【００８３】
一例として：被験者は４８歳である。Ａｃｃ＿ｍａｘ＝３ＤであるのでＡｃｃ＿ｃ＝２Ｄ（５０ｃｍ）である。
【００８４】
レンズは、２のベースカーブを有するのでＡｃｃ＿ｖ＝１．９０Ｄ：無限大（遠方視野）〜５３ｃｍで安定。ＯＫでなければ、レンズは無限大〜１０３ｃｍの試験を可能にするベースカーブ１のものであり得る。
【００８５】
実施例５：レンズ製造
レンズは装着者専用に製造され得る。
【００８６】
一例として（ＬＯＥとＰＯＤを有するレンズ）、レンズは、投影（表示）システムとレンズの後面との結合を保証するように所望ベースカーブで作製される。これにより装着者の快適視覚化を可能にする。追加情報は国際公開第２０１１／０７６６０４号パンフレットと米国特許出願公開２０１０−０４５９２７号明細書内に見出され、その内容を参照により本明細書に援用する。
【符号の説明】
【００８７】
Ａｃｃ＿ｃ  快適調節力
Ａｃｃ＿ｒ  現実調節力（現実表示の視覚化）
Ａｃｃ＿ｖ  仮想調節力
Ｂ  レンズベースカーブ
ＣＲＯ  眼の回転中心
Ｄ＿ｖ  仮想距離、仮想情報内容の表示の距離
ＤＶＯ  眼とレンズとの距離
Ｅ  眼
Ｆ  前面
ＦＶ  遠方視野
Ｌ  レンズ
ＬＯＥ  導光光学素子
ＮＶ  近方視野
Ｐ  屈折力
ＰＡＬ  累進加入度レンズ
Ｒ  後面
Ｒ１，Ｒ２，Ｒ３  環境
ＲＤ  読書距離
ＳＶ  単一視レンズ
Ｖ  仮想表示
【図１】
0006554479.tif 000005
【図２】
0006554479.tif 000006
【図３】
0006554479.tif 000007
【図４】
0006554479.tif 000008
【図５】
0006554479.tif 000009
【図６】
0006554479.tif 000010
【図７】
0006554479.tif 000011
【図８】
0006554479.tif 000012
【図９】
0006554479.tif 000013
【図１０】
0006554479.tif 000014